(57)【要約】【課題】  封印の対象物に貼着して、不正な剥離行為が明確に判明可能な封印シールを得るとともに、この封印シールの対象物からの剥離時に、封印シールから剥離した不透明層や貼着層が、対象物に残存する事がないか、又は対象物から容易に除去可能とする。【解決手段】  透明または半透明の表面シート10の一面に離型剤によって警告表示11を印刷して剥離容易な離型部12を設ける。表面シート10の離型部12側に不透明な不透明層13を形成し、この不透明層13の外表面に貼着層14を形成する。この貼着層14は、対象物15への表面シート10の貼着と対象物15からの剥離を可能とする。この剥離時に離型部を表面シートから対応する不透明層とともに剥離可能に形成し、この貼着層を、対象物からの剥離時に対象物15に残存させないか、又は対象物15から手指で擦る事により除去可能とする。【選択図】  図１
2006053308.tif 000002
【特許請求の範囲】
【請求項１】
透明または半透明の表面シートの一面に離型剤によって警告表示を印刷して剥離容易な離型部を設けるとともに、この離型部の形成部分を含めて表面シートの離型部側に不透明な不透明層を形成し、この不透明層の外表面に貼着層を形成し、この貼着層は、対象物への表面シートの貼着が可能であるとともに対象物からの剥離が可能で、この剥離時に貼着層を表面シートの離型部から対応する不透明層とともに剥離可能に形成し、この貼着層を、対象物からの剥離時に対象物に残存させないか、又は対象物から手指で擦る事により除去可能とした事を特徴とする封印シール。
【請求項２】
不透明層は、アルミ真空蒸着により形成した事を特徴とする請求項１の封印シール。
【請求項３】
貼着層は、アクリル共重合体４０wt%、トルエン３５wt%及び酢酸エチル２５wt%から成る粘着剤を形成し、この粘着剤９９wt%と硬化剤１wt%とを混合して形成した事を特徴とする請求項１の封印シール。
【請求項４】
硬化剤は、イソシアネートを含有する事を特徴とする請求項３の封印シール。
【発明の詳細な説明】
【技術分野】
【０００１】
本発明は、物品、物品の収納体、開口部その他の対象物に貼着して封印する封印シールに係るものであり、封印シールの不正な剥離行為が確実に判明可能であるとともに、剥離時に粘着層等のゴミが対象物に付着残存しにくくしようとするものである。
【背景技術】
【０００２】
従来、例えば銀行業務に於いて、顧客情報を記録した磁気テープを支店から本店に移送する場合等は、この磁気テープをアタッシュケース等の専用カバンに収納して施錠した上で移送する。この移送途中で、カバンを不正に開けられて情報が盗まれる事を防止するため、カバンの開口部に封印シールを貼着する手段がとられている。この封印シールの一例として、図５に示す如く、透明な表面シート(１)の一面に、離型剤により、「開封無効」等の一定の警告表示を印刷して、剥離可能な離型部(２)を設けたものが存在する。そして、この離型部(２)を含めて表面シート(１)の一面全体にアルミ蒸着等を施す事により、不透明層(３)を形成し、この不透明層(３)の表面に、粘着力の強い粘着剤により貼着層(４)を形成している。このように形成した封印シール(５)を、カバン等の対象物(６)に貼着する。
【０００３】
そして、封印シール(５)が不正に剥がされると、離型部(２)部分の不透明層(３)が破損され、貼着層(４)とともに対象物(６)の表面に残存し、「開封無効」等の警告表示(７)が対象物(６)に転写表示されるとともに、封印シール(５)の本体にも「開封無効」の文字が浮き出る。そして、この剥離した表面シート(１)を対象物(６)に再度貼着しようとしても、前記「開封無効」の文字を完全に一致させて貼着する事ができず、不正な剥離が確実に判明するものであった。
【０００４】
また、特許文献１の如く、銀行、その他の顧客業務に於いて、顧客の印影、サイン、パスワード等に貼着して、これらが見えないようにする遮蔽シールも存在した。そして、正当権限者以外のものが遮蔽シールを不正に剥がして印影等を見ようとすると、剥がした遮蔽シールに、「開封無効」等の文字が表示されて不正行為が判明するので、正当権限者に到達するまでの間の盗用、不正複写等を防止可能としていた。
【０００５】
また、パソコンのハードディスク等に保存されているデータをフロッピィディスクやＭＯディスク等の記録媒体に不正にコピーされるのを防止するため、フロッピィドライブやＭＯドライブの挿入口に封印シールを貼着して封印する手段も存在した。また、特許文献２の如く、ＣＤケースや半導体メモリーの保管ケース、又は商品のケースや包装フィルムの不正な開封を防止するため、これらのケースや包装フィルムに封印シールを貼着する手段も存在した。これらの場合にも、不正行為を行おうとする者が封印シールを不正に剥離すると、パソコンやケース、包装フィルム等の表面及び剥離された封印シールが破壊される。この場合も、やはり元に戻そうとしても、破壊部分を完全に復元する事ができず、不正な剥離を確実に判別する事ができるため、不正行為の未然の防止が可能であった。
【０００６】
また、近年はカメラ付き携帯電話の発達により、カメラでの手軽な撮影が可能となっている。そのため、職場や工場等で、企業秘密等をカメラで撮影されないよう、従業員や見学者等の携帯電話のカメラに封印シールを貼着する手段がとられている。この封印シールを剥離して、書類や製品等を不正に撮影した場合、封印シールが破壊される事により、退出の際等に、チェック者が携帯電話の所有者の不正行為を確実に発見する事が判別する事ができる。
【特許文献１】特開平９−２７９１０８号公報
【特許文献２】特開２００１−９７４４１号公報
【発明の開示】
【発明が解決しようとする課題】
【０００７】
しかしながら、従来の封印シールや遮蔽シールでは、不正な剥離時は勿論、正当権限者が正当に剥離した場合でも、図５に示す如く、カバンやケースその他の対象物(６)の表面に、剥離した不透明層(３)や貼着層(４)が全て残存し、周囲のゴミが付着したりして見栄えを悪くしていた。これら残存した不透明層(３)と貼着層(４)は、貼着層(４)の粘着力が比較的強いため、手指で強く擦って除去するとか、専用の剥離シート等を使用して除去する必要があったり、何れの場合も除去に時間が掛かって煩わしかった。特に、携帯電話等ではレンズやボタンに貼着層(４)が付着すると、除去しにくいとともに、カメラやボタン操作に支障を来す虞もあった。
【０００８】
本発明は、上述の如き課題を解決しようとするものであって、正当権限者以外によるカバン、ケース等の不正な開放や、印影、サイン、パスワード等の不正な確認を防止したり、携帯電話のカメラによる不正な撮影を防止できるように、対象物に貼着する封印シールに於いて、万一不正行為が行われた場合には、正当権限者によってその不正行為が容易に確認できるようにするとともに、対象物からの封印シールの剥離の際に、対象物からの剥離時に剥離した不透明層や粘着層が、対象物に残存する事がないか、又は対象物から手指で軽く擦る事により容易に除去する事ができるようにする事を目的とするものである。
【課題を解決するための手段】
【０００９】
本発明は上述の如き課題を解決するため、透明または半透明の表面シートの一面に離型剤によって警告表示を印刷して剥離容易な離型部を設けるとともに、この離型部の形成部分を含めて表面シートの離型部側に不透明な不透明層を形成し、この不透明層の外表面に貼着層を形成し、この貼着層は、対象物への表面シートの貼着が可能であるとともに対象物からの剥離が可能で、この剥離時に貼着層を表面シートの離型部から対応する不透明層とともに剥離可能に形成し、この貼着層を、対象物からの剥離時に対象物に残存させないか、又は対象物から手指で擦る事により除去可能として成るものである。
【００１０】
また、不透明層は、アルミ真空蒸着により形成しても良い。
【００１１】
また、貼着層は、アクリル共重合体４０wt%、トルエン３５wt%及び酢酸エチル２５wt%から成る粘着剤を形成し、この粘着剤９９wt%と硬化剤１wt%とを混合して形成しても良い。
【００１２】
また、硬化剤は、イソシアネートを含有するものであっても良い。
【発明の効果】
【００１３】
本発明は上述の如く構成したものであるから、封印シールを顧客情報等の機密情報、貴重品、ＲＯＭ、商品等を収納したカバンやケース等の開口部に貼着したり、フロッピィドライブやＭＯドライブ等の記憶媒体の挿入口に貼着する事により、対象物を封印して、正当権限者以外の者が不正にカバン等を開けたり、データを記録媒体に不正にコピーする等の不正行為を防止する事ができる。また、封印シールを印影、サイン、パスワード等の表面に貼着する事により、これらの表示が不透明層によって見えなくなり、正当権限者に到達するまでの間の盗用、不正複写等を防止する事ができる。
【００１４】
そして、封印シールの剥離が行われた場合には、離型部の部分の不透明層は貼着層とともに離型部から剥離され、この剥離部分が透明又は半透明となるので、容易に不正剥離の事実を確認する事ができる。その一方で、離型部から剥離された不透明層及び貼着層は、表面シート側の貼着層の粘着力で引っ張られて表面シート側の貼着層に付着するが、この不透明層と貼着層が離型処理された離型部に戻る事はできず、再度対象物に表面シートを貼着しても、警告表示が消える事はないため、不正行為が明確に判明するものとなる。
【００１５】
また、このように、離型部から剥離した不透明層と貼着層が表面シート側に付着するので、対象物にや不透明層と貼着層が残存しないか又は殆ど残存する事がない。この残存物があってもその残存量が少ないし、対象物から剥離が可能な粘着力であるから、手指で軽く擦るだけで容易に除去可能となる。そのため、正当権限者が正当に剥離した場合に、残存物による見栄えの低下を生じる事がないし、残存物除去の手間や除去用シート等を必要とせず、作業効率が向上するとともに、生産コストも少なくする事ができる。
【実施例】
【００１６】
以下本発明の一実施例を図面に於て説明すれば、(10)は表面シートで、透明または半透明の樹脂フイルムにより形成している。この表面シート(10)の一面に、離型剤により一定の意味を有する記号、文字等の警告表示(11)を印刷して剥離容易な離型部(12)を設ける。この離型部(12)の警告表示は、本実施例では「開封無効」の文字警告を表示しているが、「開封済み」等の他の文字警告表示であっても、特定の記号、数字であっても、要するに当事者が開封の事実を理解し得るものであればよい。また、離型剤はシリコン等の適宜の離型剤を用いる事ができ、本実施例ではシリコン印刷方法により離型部(12)を形成した。
【００１７】
また、この離型部(12)の形成部分を含めて、表面シート(10)の離型部(12)側に不透明な不透明層(13)を形成する。この不透明層(13)は、不透明インキを印刷しても良いが、本実施例に於いてはアルミ蒸着法により、表面シート(10)の全面に不透明層(13)を形成している。そして、この不透明層(13)の外表面に、表面シート(10)を貼着するための貼着層(14)を形成している。この貼着層(14)は、カバン等の対象物(15)への表面シート(10)の貼着が可能であるとともに対象物(15)からの剥離が可能な粘着力で形成する。その反面、この粘着力は、離型部(12)と不透明層(13)との付着力よりも強力なものとし、対象物(15)からの貼着層(14)の剥離時に、離型部(12)を表面シート(10)から、対応する不透明層(13)とともに剥離可能とするとともに、この剥離した貼着層(14)が、対象物(15)に残存しないで貼着層(14)側に残存するか、又は対象物(15)に殆ど残存させないようにする。そして、残存した場合でも、貼着層(14)が対象物(15)から手指で擦る事により容易に除去可能な程度の粘着力を有するように形成する。
【００１８】
このような条件を有する貼着層(14)を得るため、本実施例では、アクリル共重合体４０wt%、トルエン３５wt%及び酢酸エチル２５wt%から成る粘着剤を用意する。次に、この粘着剤９９wt%と、イソシアネートを含有する硬化剤１wt%とを混合して混合粘着剤を形成する。この混合粘着剤を不透明層(13)の外面に塗布する事により、貼着層(14)を形成している。
【００１９】
尚、上記粘着剤の粘着性能を測定した結果を下記表１に示す。この測定は、前記粘着剤１ｋｇに対して、イソシアネート４５wt%、トルエン４０wt%、酢酸エチル１５wt%から成る硬化剤を４．４７ｇ混合したものを、２５μｍ厚のＰＥＴ製の基材に、２５μｇ塗布して行った。尚、この粘着剤の粘度は、６０P/25℃であった。この粘度は、５０〜８０P/25℃の範囲とするのが好ましい。
【００２０】
【表１】
2006053308.tif 000003
【００２１】
上述の如く、粘着力は１８０°引きはがし法、即ち粘着剤を塗布したＰＥＴをステンレス板(ＳＵＳ３０４)に貼着し、３００mm/minの速度で１８０°方向に引きはがした際の負荷を測定したものである。保持力は、測定温度４０℃で前記粘着剤にて貼り合わせたＰＥＴに、垂直方向に２０×２０mm2当たり１kgの荷重をかけて、その位置ズレ状態を観察したものである。また、ボールタックは、Ｊ．Ｄｏｗ法により、測定温度２０℃、湿度６５％ＲＨで、傾斜角度３０°の平面に粘着剤を塗布したＰＥＴを、粘着剤を上方に向けて配置し１００mmの滑走路を形成する。そして、助走距離１００mmの位置から鋼球を転がし、粘着剤面で停止する鋼球の最大値を測定した。
【００２２】
上記表１の粘着性能を有する粘着剤に、前述の如くイソシアネートを含有する硬化剤を混合して形成した混合粘着剤を、不透明層(13)の外表面に塗布する事によって得た貼着層(14)は、対象物(15)への貼着の際は、位置ズレを生じたり不測に剥がれる等がなく、貼着状態を保持する事ができる。その一方で、剥離時には、対象物(15)から貼着層(14)を容易に剥離する事ができるとともに、混合粘着剤の分子間の結合力により、貼着層(14)は不透明層(13)側に残留して、対象物(15)に貼着層(14)が残留しないか又は殆ど残留する事がないものとなる。
【００２３】
また、本実施例では、図２に示す如く、貼着層(14)の裏面に、剥離紙(16)を配置して、不使用時の貼着層(14)の保護を可能としている。また、この剥離紙(16)からの表面シート(10)の剥離時には、離型部(12)から不透明層(13)と粘着層(14)が剥離する事のないものとしている。
【００２４】
上述の如く構成した封印シール(17)を、顧客情報を記憶した磁気テープを運搬するカバンに使用するには、封印シール(17)を貼着する対象物(15)であるカバンに、銀行の職員等が磁気テープを収納し、カバンを閉じて施錠等を行う。次に、封印シール(17)の裏面から剥離紙(16)を剥離し、この封印シール(17)を、貼着層(14)側から、図３に示す如く、対象物(15)であるカバンの一対の開口部(18)を跨ぐように貼着する事により、開口部(18)の封印を行って、カバンを不正に開ける事ができないようにする。この封印シール(17)の貼着状態で、職員等が磁気テープを収納したカバンを目的の場所に移送するものである。
【００２５】
そして、この移送途中等に、不正手段により封印シール(17)の剥離が行われた場合には、図１に示す如く、表面シート(10)とともに不透明層(13)と貼着層(14)も、対象物(15)の表面から剥離される。この貼着層(14)は、対象物(15)からの剥離が可能な粘着力を有しているが、離型部(12)への不透明層(13)の付着力よりは強力なものであり、剥離時に不透明層(13)に作用する剪断力も相俟って、離型部(12)の部分の不透明層(13)は、貼着層(14)とともに離型部(12)から剥離する。
【００２６】
ここで、従来発明の封印シール(５)では、図５に示す如く、離型部(２)から剥離した貼着層(４)と不透明層(３)が、対象物(６)に残存し、見栄えを悪くするとともに、手指で強く擦って除去する等の手間がかかっていた。しかし、本発明の封印シール(17)では、離型部(12)から剥離した不透明層(13)と貼着層(14)とは、図１に示す如く、対象物(15)に残存じないか又は殆ど残存する事はなく、表面シート(10)側の貼着層(14)の分子間結合力により引っ張られ、この貼着層(14)の裏面に丸まって付着する。また、このように丸まって付着するので、離型処理された離型部(12)に戻る事はない。
【００２７】
その結果、表面シート(10)の表面には、図４に示す如く、「開封無効」の警告表示(11)が表示されるものとなる。また、離型部(12)から剥離した不透明層(13)は元の形状を呈していないから、一度剥離した表面シート(10)を、貼着層(14)により対象物(15)に再度止着しても、「開封無効」の警告表示(11)が表示されたままであるから、剥離の事実を消す事はできないものとなる。従って、この剥離行為を明確に判別する事ができるので、顧客情報等の機密情報の不正な持ち出しやコピーを未然に防ぐ事ができる。また、剥離行為の事実を知った正当権限者は、警察への通報や犯人の追跡、その他の対策を直ちに取る事が可能となる。
【００２８】
また、正当権限者が封印シール(17)の剥離を行った場合には、離型部(12)から剥離した不透明層(13)及び貼着層(14)が、対象物(15)に残存しないか、又は殆ど残存する事がないので、対象物(15)の見栄えを悪くする事がない。また、対象物(15)への残存物である不透明層(13)や貼着層(14)は、手指(20)で軽く擦る事により容易に取り除く事ができ、除去の手間や除去のための専用の剥離シート等を必要とせず、作業性が向上するものとなる。
【００２９】
また、上記実施例では、カバンが不正に開けられるのを防止するために使用しているが、他の異なる使用形態として、銀行の窓口係員、得意先係等は、顧客から印影、サイン、パスワード等の提供を受けた場合に、これらの盗用や不正複写等を防止するために、本実施例の封印シール(17)を使用する事ができる。それには、封印シール(17)を前記印影等の表面に貼着する事により、これらの情報は不透明層(13)によって見る事ができなくなり、正当権限者に到達するまでの間に於ける、不正手段による盗用、不正複写等を防止する事ができる。
【００３０】
そして、封印シール(17)の剥離が行われた場合には、表面シート(10)の離型部(12)部分の不透明層(13)が、貼着層(14)とともに剥離され、表面シート(10)の表面に、「開封無効」の警告表示(11)が表示される。また、この離型部(12)から剥離した不透明層(13)及び貼着層(14)は、対象物(15)に残存せずに、表面シート(10)側に付着するが、離型部(12)部分には戻る事はない。従って、一度剥離された表面シート(10)を、対象物(15)に再度止着しても、警告表示(11)の表示が消える事がなく、剥離の事実を消す事は出来ない。この剥離の事実を知った正当権限者は、パスワードを変更する等の対策を直ちに取る事が可能となる。
【００３１】
また、正当権限者が正当に封印シール(17)を剥離した場合には、前述の如く、離型部(12)から剥離した不透明層(13)と貼着層(14)が、対象物(15)の表面に殆ど残存しないし、残存物を手指(20)で擦って容易に除去する事ができる。そのため、正当権限者は、不透明層(13)で隠されて保護されていた、印影、サイン、パスワード等を容易に確認する事ができる。
【００３２】
また、本発明の封印シール(17)は、パソコンのハードディスク等に保存されているデータをフロッピィディスクやＭＯディスク等の記録媒体に不正にコピーされるのを防止するため、フロッピィドライブやＭＯドライブの挿入口に貼着して使用する事もできる。また、ＣＤケースや半導体メモリーの保管ケース、又は商品のケースや包装フィルムの不正な開封を防止するため、これらのケースや包装フィルムに、本発明の封印シール(17)を貼着する事もできる。何れの場合も、不正行為を行おうとする者が封印シール(17)を不正に剥離すると、離型部(12)から不透明層(13)や貼着層(14)が剥離され、表面シート(10)に警告表示(11)が表示される。そして、不正行為者が表面シート(10)を元の位置に張り直しても、この警告表示(11)が消える事がないから、不正な剥離を確実に判別する事ができる。従って、不正行為を未然に防止する事が可能となる。また、ケースや包装フィルムには、不透明層(13)と貼着層(14)が、殆ど残存しないし、残存しても手指(20)で擦って容易に除去する事ができ、商品価値を低下させる事がないものとなる。
【００３３】
また、本発明の封印シール(17)を、社内や工場内に入室する際に、入室者の携帯電話のカメラの表面に直接貼着したり、折り畳みタイプの携帯電話が開かないよう本体に貼着する事ができる。この場合も、企業秘密書類や機械を携帯電話のカメラで撮影する目的で、不正行為者が封印シール(17)を剥離すると、離型部(12)から不透明層(13)や貼着層(14)が剥離され、表面シート(10)に警告表示(11)が表示される。そして、不正行為者が表面シート(10)を元の位置に張り直しても、この警告表示(11)が消える事がないから、退室者の携帯電話のチェック者は、不正な剥離を確実に判別する事ができ、不正な撮影行為を未然に防止する事が可能となる。また、正当な剥離後は、携帯電話の本体表面やレンズに残存物が付着しないか、付着しても容易に除去する事ができるので、携帯電話の見栄えを悪くする事がないし、レンズやボタン等の機能や操作性を低下させる事もないものとなる。
【００３４】
また、封印シール(17)は、貼着する対象物(15)のサイズ等に応じたサイズで形成しても良く、切り取る等の手間を省く事ができる。また、サイズの大きなシート上に封印シール(17)を形成し、貼着する対象物(15)に応じてハサミ等で切り取って使用しても良く、対象物(15)を選ばず、且つ任意のサイズに切り取る事ができ、汎用的な使用が可能となる。
【図面の簡単な説明】
【００３５】
【図１】本発明の一実施例の封印シールを、対象物から剥離する過程を示す断面図。
【図２】封印シールの断面図。
【図３】対象物であるカバンの開口部に、封印シールを貼着した状態を示す斜視図。
【図４】封印シールを剥離して、表面シートに警告表示が表示された状態の斜視図。
【図５】従来の封印シールの剥離過程を示す断面図。
【符号の説明】
【００３６】
１０  表面シート
１１  警告表示
１２  離型部
１３  不透明層
１４  貼着層
１５  対象物
２０  手指
【図１】
2006053308.tif 000004
【図２】
2006053308.tif 000005
【図３】
2006053308.tif 000006
【図４】
2006053308.tif 000007
【図５】
2006053308.tif 000008